(57)【要約】【課題】人体新陳代謝状況が分かり、マイクロパーツと回路の組合で装置を小型化できる非侵襲性人体新陳代謝状態測定装置及び方法を提供する。【解決手段】非侵襲性人体新陳代謝状態測定装置及び方法は、先ずマイクロ発光源11、12により波長が329ナノ〜473ナノの入射光を発射し、人体粘膜組織のミトコンドリアの代謝物を触発し、代謝物は波長が405ナノ〜572ナノの蛍光光信号を発し、順番に光学フィルター131、141によりろ過し、マイクロレシーバー13、14により蛍光光信号を受け取り、拡大回路2により蛍光光信号を拡大し、マイクロプロセッシングユニット3のフィルター回路31及びアナログデジタル転換回路32によりフィルタリング及びアナログ/デジタル信号転換を行い、演算処理により代謝物の含量を算出する。【選択図】図１
2012170744.tif 000002
【特許請求の範囲】
【請求項１】
非侵襲式人体新陳代謝状態測定装置は、少なくとも１個のマイクロ発光源、少なくとも１個の光学フィルター、拡大回路、マイクロプロセッシングユニットを備え、
前記少なくとも１個のマイクロ発光源は、波長が329ナノ〜473ナノの入射光を発射し、これにより代謝物は波長が405ナノ〜572ナノの蛍光を含む光信号を発し、
前記少なくとも１個の光学フィルターは、前記マイクロ発光源に対して、蛍光光信号以外の光信号をろ過し、
前記少なくとも１個のマイクロレシーバーは、前記マイクロ発光源に対応し、前記光学フィルターを通過した蛍光光信号を受け取り、
前記拡大回路は、前記マイクロレシーバーに電気的に連接し、蛍光光信号を拡大し、
前記マイクロプロセッシングユニットは、前記拡大回路に電気的に連接し、前記マイクロプロセッシングユニットは、フィルター回路及びアナログデジタル転換回路を備え、拡大後の蛍光光信号をフィルタリングし、アナログ/デジタル信号転換を行い、さらに演算処理を経て、代謝物と関連する演算値を算出することを特徴とする非侵襲式人体新陳代謝状態測定装置。
【請求項２】
前記非侵襲式人体新陳代謝状態測定装置は、１個の前記マイクロ発光源及び１個の前記マイクロレシーバーを備え、
前記マイクロ発光源は、波長が329ナノ〜403ナノの紫外線を発射し、代謝物はFADで、FADは紫外線を吸収後、波長が405ナノ〜495ナノの蛍光光信号を発し、演算値はFAD含量であることを特徴とする請求項１に記載の非侵襲式人体新陳代謝状態測定装置。
【請求項３】
前記非侵襲式人体新陳代謝状態測定装置は、１個の前記マイクロ発光源及び１個の前記マイクロレシーバーを備え、
前記マイクロ発光源は、波長が387ナノ〜473ナノの青色光を発射し、代謝物はNADHで、NADHは青色光を吸収後、波長が468ナノ〜572ナノの蛍光光信号を発し、演算値はNADH含量であることを特徴とする請求項１に記載の非侵襲式人体新陳代謝状態測定装置。
【請求項４】
前記非侵襲式人体新陳代謝状態測定装置は、２個の前記マイクロ発光源及び２個の前記マイクロレシーバーを備え、
前記各マイクロ発光源は、順番に波長が329ナノ〜403ナノの紫外線、及び波長が387ナノ〜473ナノの青色光を発射し、代謝物はFAD及びNADHで、FADは紫外線を吸収後、波長が405ナノ〜495ナノの蛍光光信号を発し、NADHは青色光を吸収後、波長が468ナノ〜572ナノの蛍光光信号を発し、演算値はFAD含量、NADH含量、及び両者の比率であることを特徴とする請求項１に記載の非侵襲式人体新陳代謝状態測定装置。
【請求項５】
前記マイクロプロセッシングユニットは、データベースを設置し、比較対照値を保存し、演算値と比較対照し、こうして演算値はさらに比較対照結果を含むことを特徴とする請求項１に記載の非侵襲式人体新陳代謝状態測定装置。
【請求項６】
前記非侵襲式人体新陳代謝状態測定装置はさらに、前記マイクロプロセッシングユニットに電気的に連接する第一出力ユニットを設置し、演算値を出力することを特徴とする請求項１に記載の非侵襲式人体新陳代謝状態測定装置。
【請求項７】
前記マイクロプロセッシングユニットは、演算値を電気信号に転換し、
さらに、前記マイクロプロセッシングユニットは、信号発射モジュールを設置し、電気信号を発射し、
さらに、コントロールユニットを設置し、前記コントロールユニットは、信号受信モジュールを備え、こうして電気信号を受信し、さらに前記コントロールユニットにより演算値を復調して分析することを特徴とする請求項１に記載の非侵襲式人体新陳代謝状態測定装置。
【請求項８】
前記非侵襲式人体新陳代謝状態測定装置は、さらに第二出力ユニットを設置し、
前記第二出力ユニットは、前記コントロールユニットに電気的に連接し、演算値を出力することを特徴とする請求項７に記載の非侵襲式人体新陳代謝状態測定装置。
【請求項９】
前記非侵襲式人体新陳代謝状態測定装置はさらに、ハウジングを備え、
前記マイクロ発光源及び前記マイクロレシーバーは、前記ハウジング上に結合し、
前記光学フィルターは、前記マイクロレシーバー上に設置することを特徴とする請求項１に記載の非侵襲式人体新陳代謝状態測定装置。
【請求項１０】
前記ハウジングは、ハンドルを延伸して設置することを特徴とする請求項９に記載の非侵襲式人体新陳代謝状態測定装置。
【請求項１１】
前記マイクロ発光源は、LEDであることを特徴とする請求項１に記載の非侵襲式人体新陳代謝状態測定装置。
【請求項１２】
前記マイクロ発光源は、レーザー光源とディフューザーにより組成することを特徴とする請求項１に記載の非侵襲式人体新陳代謝状態測定装置。
【請求項１３】
前記マイクロプロセッシングユニットは、マイクロコントローラー、エムベディッド式システムチップ或いはFPGAチップの内の何れか１種であることを特徴とする請求項１に記載の非侵襲式人体新陳代謝状態測定装置。
【請求項１４】
非侵襲式人体新陳代謝状態測定方法は、以下のステップを含み、
A.マイクロ発光源を利用し、波長が329ナノ〜473ナノの入射光を発射し、
B.入射光は、人体粘膜組織のミトコンドリアの代謝物を触発し、代謝物は波長が405ナノ〜572ナノの蛍光光信号を発し、
C.蛍光光信号は光学フィルターを通過し、マイクロレシーバーに伝達され、
D.さらに蛍光光信号を拡大し、
E.拡大後の蛍光光信号に対して、フィルタリング、アナログ/デジタル信号転換、及び演算を執行し、ミトコンドリアの代謝物と関連のある演算値を得ることを特徴とする非侵襲式人体新陳代謝状態測定方法。
【請求項１５】
前記ステップA中において、前記マイクロ発光源は、波長が329ナノ〜403ナノの紫外線を発射し、代謝物はFADで、FADは紫外線を吸収後、波長が405ナノ〜495ナノの蛍光光信号を発し、
前記ステップE中において、前記マイクロプロセッシングユニットが計算する演算値はFAD含量であることを特徴とする請求項１４に記載の非侵襲式人体新陳代謝状態測定方法。
【請求項１６】
前記ステップA中において、前記マイクロ発光源は、波長が387ナノ〜473ナノの青色光を発射し、代謝物はNADHで、NADHは青色光を吸収後、波長が468ナノ〜572ナノの蛍光光信号を発し、
前記ステップE中において、前記マイクロプロセッシングユニットが計算する演算値はNADH含量であることを特徴とする請求項１４に記載の非侵襲式人体新陳代謝状態測定方法。
【請求項１７】
前記ステップA中において、前記２個のマイクロ発光源は、順番に波長が329ナノ〜403ナノの紫外線、及び波長が387ナノ〜473ナノの青色光を発射し、
代謝物はFAD及びNADHで、FADは紫外線を吸収後、波長が405ナノ〜495ナノの蛍光光信号を発し、NADHは青色光を吸収後、波長が468ナノ〜572ナノの蛍光光信号を発し、
前記ステップE中において、マイクロプロセッシングユニットが計算する演算値はFAD含量、NADH含量、及び両者の比率であることを特徴とする請求項１４に記載の非侵襲式人体新陳代謝状態測定方法。
【請求項１８】
前記ステップE中において、前記マイクロプロセッシングユニットはさらに、演算値とデータベース内の比較対照値を、比較対照し、こうして演算値はさらに比較対照結果を含むことを特徴とする請求項１４に記載の非侵襲式人体新陳代謝状態測定方法。
【請求項１９】
前記ステップE中において、さらに前記第一出力ユニットにより演算値を出力することを特徴とする請求項１４に記載の非侵襲式人体新陳代謝状態測定方法。
【請求項２０】
前記ステップE中において、前記マイクロプロセッシングユニットは、演算値を電気信号に転換し、信号発射モジュールにより出力し、さらに信号受信モジュールにより電気信号を受信し、コントロールユニットにより演算値を復調して分析することを特徴とする請求項１４に記載の非侵襲式人体新陳代謝状態測定方法。
【請求項２１】
前記非侵襲式人体新陳代謝状態測定方法はさらに、第二出力ユニットにより演算値を出力することを特徴とする請求項２０に記載の非侵襲式人体新陳代謝状態測定方法。
【発明の詳細な説明】
【技術分野】
【０００１】
本発明は非侵襲性人体新陳代謝状態測定装置及び方法に関し、特にマイクロパーツと回路組合せの装置を使用し、人体粘膜組織のミトコンドリアの代謝物含量を探知し、新陳代謝の状況を判断する非侵襲式装置と方法である非侵襲性人体新陳代謝状態測定装置及び方法に関する。
【背景技術】
【０００２】
食物中の三大栄養素である炭水化物、脂肪、タンパク質は、生物体中で単糖、脂肪酸、アミノ酸に加水分解される。それらが細胞に入ると、ミトコンドリア中で一連の化学反応が起こり、アデノシン三リン酸(ATPと略称)が形成され、これに従いエネルギーが出力され、生物体にエネルギーを供給する。
【０００３】
ミトコンドリア内での化学反応は、トリカルボン酸サイクルを行うことで、TCA cycleと略称される酵素群を完成する。酵素群は、炭水化物、脂質、タンパク質を代謝後に形成する共同分子─アセチル補酵素(A Acetyl CoA)を、さらに代謝して、二酸化炭素、ニコチンアミドアデニンジヌクレオチド（NADH）、フラビンフラビンアデニンジヌクレオチド（FADH2）等還原態分子を生成する。ミトコンドリア内膜上に位置する呼吸酵素複合体（respiratory  enzyme  complexes）は、酸素分子により、電子伝達チェーンを経て、NADH及びFADH2等還原態分子を、NAD+及びFADに酸化し、同時に、水及びATPを生成する。
【０００４】
ATPは、アデニン(Adenine）、α-D-リボース（α-D-ribose）及び３個のリン酸分子（α、β、γ-phosphates）により構成する。ATPが含むエネルギーは、３個のリン酸分子中のβ及びγ-phosphatesの２個のリン酸鍵上に保存される。ATPが加水分解されADP（アデノシン二リン酸、Adenosine 5'-diphosphate）或いはAMP（アデノシンーリン酸、Adenosine 5'-monophosphate）になると、エネルギーが放出される内、NADHとFADは、栄養素代謝の産物で、しかもNADH及びFADは、短波長の紫外線或いは青色光を受けると蛍光を発する(例えば、非特許文献１)。一方、人体組織は癌化の過程において、構造上の変化を生じ、癌細胞の代謝は正常細胞より明らかに速いため、NADHが多くなり、NADH及びFADの比率が異常となり、正常組織とは異なる蛍光スペクトルを生じる。
【０００５】
現在、臨床医学では、NADH及びFADの蛍光スペクトルは、早期ガンの検査、糖尿患者の栄養素代謝状況の検査と観察、新生児新陳代謝状況の観察等に用いられている。例えば、非特許文献２に発表された「バイオメディカル電子」には、「蛍光技術および検査原理」が紹介されている。
【０００６】
しかし、NADH及びFADが発生する蛍光の強度は非常に弱いため、一般の蛍光技術の検査過程はみな、侵襲式検査である。すなわち、人体上から切除、或いは採血の方式により組織細胞を取得し、体外で検査を行う必要がある。この種の侵襲式検査方式は、しばしば患者に恐怖を抱かせ、しかも侵襲式検査は、抵抗力が衰えている患者に対しては感染のリスクがある。一方、実験研究目的として実験室用の大型非侵襲検査設備はあるが、大型非侵襲式検査設備は、体積が大きく、携帯に不便であるという欠点の他に、コストがかかり過ぎ、患者が家で検査を行うためには適していない。
本発明は、従来の侵襲性測定装置の上記した欠点に鑑みてなされたものである。
【先行技術文献】
【非特許文献】
【０００７】
【非特許文献１】馮清栄、魏耀揮著  「ミトコンドリア老化理論─ミトコンドリア疾病と老化について語る」科学月刊  １９９５年１２月  第３１２期
【非特許文献２】「バイオメディカル電子」季刊  「Science Development」  ２０１０年７月  第４５１期
【発明の概要】
【発明が解決しようとする課題】
【０００８】
本発明が解決しようとする課題は、人体粘膜組織の厚みが皮膚に比べ遥かに薄いことを利用し、蛍光に人体粘膜組織を通過させ、非侵襲式の方式を利用し人体粘膜組織のミトコンドリア代謝物含量を検査し、これにより新陳代謝状況を判断し、同時に、マイクロパーツ及び回路組合せの測定装置を開発することで、測定装置を小型化し、携帯に便利とする非侵襲性人体新陳代謝状態測定装置及び方法を提供することである。
【課題を解決するための手段】
【０００９】
上記課題を解決するため、本発明は下記の非侵襲性人体新陳代謝状態測定装置及び方法を提供する。
非侵襲性人体新陳代謝状態測定装置及び方法は、少なくとも１個のマイクロ発光源、少なくとも１個の光学フィルター、少なくとも１個のマイクロレシーバー、拡大回路、マイクロプロセッシングユニットを備え、該マイクロプロセッシングユニットは、フィルター回路及びアナログデジタル転換回路を備え、操作ステップは以下の通りで、
A.マイクロ発光源を利用し、波長が329ナノ〜473ナノの入射光を発射し、
B.入射光は、人体粘膜組織のミトコンドリアの代謝物を触発し、代謝物は波長が405ナノ〜572ナノの蛍光光信号を発し、
C.蛍光光信号は光学フィルターを通過し、マイクロレシーバーに伝達され、
D.さらに蛍光光信号を拡大し、
E.拡大後の蛍光光信号に対して、フィルタリング、アナログ/デジタル信号転換及び演算を行い、ミトコンドリアの代謝物と関連のある演算値を得て、
さらに、ステップA中において、該マイクロ発光源は、波長が329ナノ〜403ナノの紫外線を発射し、代謝物はFADで、FADは紫外線を吸収後、波長が405ナノ〜495ナノの蛍光光信号を発し、
ステップE中において、該マイクロプロセッシングユニットが計算する演算値はFAD含量で、
さらに、ステップA中において、該マイクロ発光源は、波長が387ナノ〜473ナノの青色光を発射し、代謝物はNADHで、NADHは青色光を吸収後、波長が468ナノ〜572ナノの蛍光光信号を発し、
ステップE中において、該マイクロプロセッシングユニットが計算する演算値はNADH含量で、
さらに、ステップA中において、２個のマイクロ発光源は順番に波長が329ナノ〜403ナノの紫外線、及び波長が387ナノ〜473ナノの青色光を発射し、代謝物はFAD及びNADHで、FADは紫外線を吸収後、波長が405ナノ〜495ナノの蛍光光信号を発し、NADHは青色光を吸収後、波長が468ナノ〜572ナノの蛍光光信号を発し、
ステップE中において、該マイクロプロセッシングユニットが計算する演算値はFAD含量、NADH含量、及び両者の比率で、
さらに、ステップE中において、該マイクロプロセッシングユニットは、演算値とデータベース内の比較対照値を、比較対照し、こうして演算値はさらに比較対照結果を含み、さらに該第一出力ユニットにより演算値を出力し、
さらに、ステップE中において、該マイクロプロセッシングユニットは、演算値を電気信号に転換し、信号発射モジュールにより出力し、さらに信号受信モジュールにより電気信号を受信し、コントロールユニットにより演算値を復調して分析し、さらに第二出力ユニットにより演算値を出力し、
こうして、使用者は直接ニアモニタリングを行い、或いは看護/介護人員等により即時リモートモニタリングを行い、
さらに、ハウジングを備え、該マイクロ発光源及び該マイクロレシーバーは、該ハウジング上に結合し、
該光学フィルターは、該マイクロレシーバー上に設置し、該ハウジングはさらに、ハンドルを延伸して設置し、使用時に便利に握ることができ、
さらに、該各マイクロ発光源は、LED或いはレーザー光源とディフューザーの組合せで、LED或いはレーザー光源は、体積が小さいという長所を備え、本発明測定装置を小型化すことができ、
さらに、該マイクロプロセッシングユニットは、マイクロコントローラー、エムベディッド式システムチップ或いはFPGAチップの内の何れか１種で、同様に、体積が小さいという長所を備え、本発明測定装置を携帯可能とすることができる。
【発明の効果】
【００１０】
本発明の非侵襲性人体新陳代謝状態測定装置及び方法は、非侵襲方式を利用し人体の新陳代謝状況を検査することで、被測定者の検査意欲を高めることができ、検査過程を迅速かつ便利にでき、また非侵襲式血糖測定機、ガン治療効果の迅速な検査、新生児新陳代謝の探知、口腔細胞病変初期探知等に応用できるため応用範囲が非常に広く、さらにマイクロパーツ及び回路を組合せ測定装置を構成するため、測定装置は小型化され携帯しての使用に便利とすることができる。
【図面の簡単な説明】
【００１１】
【図１】本発明における検査のフローチャート及び各構成部材の対応関係図である。
【図２】本発明の装置外観図である。
【図３Ａ】本発明の詳細な回路模式図（一）である。
【図３Ｂ】本発明の詳細な回路模式図（一）である。
【図４Ａ】本発明の詳細な回路模式図（二）である。
【図４Ｂ】本発明の詳細な回路模式図（二）である。
【図５】本発明を口腔粘膜の検査に使用する様子を示す模式図である。
【図６】本発明のマイクロプロセッシングユニットにデータベースを加え、これを比較対照用途に用いる検査のフローチャート、及び各構成部材の対応関係図である。
【図７】本発明をリモートヘルスケアシステムに用いる検査フローチャート及び各構成部材の対応関係図である。
【発明を実施するための形態】
【００１２】
以下に図面を参照しながら本発明を実施するための最良の形態について詳細に説明する。
【００１３】
図１、２に示すように、本発明第一実施例の非侵襲性人体新陳代謝状態測定装置及び方法は、ハウジング(小型のディテクションヘッド1)上に対応して設置する２個のマイクロ発光源及び２個のマイクロレシーバーを備える。
【００１４】
本実施例のマイクロ発光源は、LEDで、LED体積が小さいという長所を備えるため、ディテクションヘッドを小型化することができる。但し、LED以外に、マイクロ発光源は、レーザー光源及びディフューザーによる組成とすることもできる。レーザー光は、集中する点光源であるため、ディフューザーを用いて、レーザー光源のレーザー光を発散する。一方、レーザー光源は、LEDと同様に体積が小さいという長所を備えるため、ディテクションヘッド1を小型化することができる。
【００１５】
各マイクロ発光源は、第一光源11及び第二光源12に区分される。各マイクロレシーバーは、第一蛍光レシーバー13及び第二蛍光レシーバー14に区分される。ディテクションヘッド1は、ハンドル15を延伸して設置し、ハンドル15を、使用者は使用時に便利に握ることができる。第一蛍光レシーバー13及び第二蛍光レシーバー14上には、第一光学フィルター131及び第二光学フィルター141をそれぞれ設置する。
【００１６】
本発明はさらに、拡大回路2、マイクロプロセッシングユニット3、第一出力ユニット4を備える。拡大回路2は、第一蛍光レシーバー13及び第二蛍光レシーバー14に電気的に連接し、ディテクションヘッド1内に結合する。
【００１７】
マイクロプロセッシングユニット3は、拡大回路2に電気的に連接し、しかもマイクロプロセッシングユニット3は、フィルター回路31及びアナログデジタル転換回路32を備える。マイクロプロセッシングユニット3は、マイクロコントローラー、エムベディッド式システムチップ或いはFPGAチップの内の何れか１種で、同様に体積が小さいという長所を備える。
【００１８】
第一出力ユニット4は、マイクロプロセッシングユニット3に電気的に連接し、ハンドル15上に連接する。さらに、小型化されたディテクションヘッド1、マイクロプロセッシングユニット3、及び回路化された部品に対応し、携帯式測定装置とすることができる。
【００１９】
本発明の詳細な回路模式図である図３A、３B、４A、４Bは、本発明各回路間の連接関係を明確に示している。さらに、図１、５に対応して示すように、本発明の操作ステップは以下の通りである。
A.第一光源11は波長が329ナノ〜403ナノの紫外線を発射し、第二光源12は波長が、387ナノ〜473ナノの青色光を発射する。比較的精確なのは、第一光源11が発射する波長365ナノの紫外線と、第二光源12が発射する波長430ナノの青色光である。
【００２０】
B.ディテクションヘッド1を、人体粘膜組織Aに合わせる。口腔粘膜組織の感知は、実施において比較的便利であるため、人体粘膜組織Aは好ましくは、口腔粘膜組織である。続いて、順番に第一光源11及び第二光源12に切り換え、これにより紫外線及び青色光は、順番に人体粘膜組織Aに照射される。人体粘膜組織Aのミトコンドリア中FAD成分は紫外線を吸収し、波長が405ナノ〜495ナノである蛍光を含む光信号を発する。別に、人体粘膜組織Aのミトコンドリア中NADH成分は、青色光を吸収し、波長が468ナノ〜572ナノである蛍光を含む光信号を発する。波長が365ナノの紫外線及び波長が430ナノの青色光は対応して、FAD成分及びNADH成分は、波長が450ナノ及び520ナノである蛍光光信号を発する。
【００２１】
C.蛍光光信号は光学フィルター131及び第二光学フィルター141をそれぞれ通過し、蛍光光信号以外の光信号をろ過する。蛍光光信号の強度が比較的弱いため、ノイズの干渉を避けるため、予め不要なノイズを除去し、第一蛍光レシーバー13及び第二蛍光レシーバー14により、２個の波長の蛍光光信号をそれぞれ受け取る。
【００２２】
D.拡大回路2を利用し、第一蛍光レシーバー13及び第二蛍光レシーバー14が受け取った蛍光光信号を拡大し、後続のマイクロプロセッシングユニット3の判読の便を図る。
【００２３】
E.マイクロプロセッシングユニット3により、蛍光光信号を受け取り、フィルター回路31及びアナログデジタル転換回路32によりさらに、蛍光光信号に対して、フィルタリング、アナログ/デジタル信号転換を行い、さらにマイクロプロセッシングユニット3により、２個の波長の蛍光光信号強度に基づき、演算値を計算する。演算値は、人体粘膜組織のミトコンドリア中FAD含量数値、人体粘膜組織のミトコンドリア中NADH含量数値、及び両者の比率を含み、第一出力ユニット4により演算値を出力する。第一出力ユニット4は、好ましくは、演算値の変化を便利に観察することができるディスプレースクリーンで、こうして、FADとNADHの関係により、人体新陳代謝の状況を判読することができる。
【００２４】
図６に示す本発明第二実施例では、第一実施例に示す構造に加え、マイクロプロセッシングユニット3に、データベース33を設置する。データベース33は、比較対照に用いる比較対照値を保存し、FAD含量数値、NADH含量数値及び両者の比率を比較対照する。さらに、それぞれ生じる比較対照結果は、第一出力ユニット4により出力する。この時、第一出力ユニット4は、ディスプレースクリーンで、比較対照結果を直接出力することができ、或いはブザーで、FAD含量数値、NADH含量数値及び両者の比率が比較対照値を超過、或いは不足している時には、警告表示音を発生する。
【００２５】
図７に示す本発明第三実施例では、第一実施例及び第二実施例に示す構造に加え、第一出力ユニット4により、直接ニアモニタリングを行うことができる。この時、マイクロプロセッシングユニット3は、信号発射モジュール34を設置し、演算値を電気信号に転換し、信号発射モジュール34により出力する。さらに、コントロールユニット5の信号受信モジュール51により、電気信号を受信し、コントロールユニット5により、演算値を復調して分析し、第二出力ユニット6により演算値を出力する。こうして、看護/介護人員は、即時リモートモニタリングを行うことができる。
【００２６】
応用の面について、以下に簡単に説明する。
＜糖尿病患者のセルフチェック＞
現在市販されている血糖測定機では、指に針を刺し血を出さなければ測定することはできないが、疼痛を嫌い、或いは不便なため、毎日の測定を行わない被測定者もおり、血糖のコントロールに悪影響を及ぼしている。しかし、本発明は、非侵襲方式で検査可能なため、被測定者の検査意欲を高めることができ、同時に、検査過程が迅速で便利なため、糖尿病患者の毎日の使用率を高めることができる。
【００２７】
＜ガン治療効果の迅速な検査＞
ガンの標的薬物治療及び放射線治療は、治療実施後、ある程度の時間をおかなければ、治療の効果が分からない。しかし実際には、薬物投入、或いは放射線治療実施の翌日から、人体の新陳代謝には変化が表れ始める。この時、本発明の測定装置を使用して測定すれば、治療の翌日には、効果があったかどうかが分かり、こうして、ガン患者の治療過程を大幅に改善することができる。
【００２８】
＜新生児新陳代謝の探知＞
新生児の出生直後に、その新陳代謝値を直ちに測定し、異常の有無を迅速に検査することができる。
【００２９】
＜口腔細胞病変の初期探知＞
台湾は口腔癌の患者が非常に多いが、口腔細胞に知覚異常を来たして初めて医師の診察を受けるという例がしばしば見られる。しかし、一般の診療を行っている歯科医師が、口腔の定期検診時に、本発明測定装置を使用し、ハイリスクグループを対象に検査を行えば、口腔細胞の異常な変化を早期に探知することができる。
【００３０】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００３１】
本発明は特許の要件である新規性を備え、従来の同類製品に比べ十分な進歩を有し、実用性が高く、社会のニーズに合致しており、産業上の利用価値は非常に大きい。
【符号の説明】
【００３２】
1：ディテクションヘッド
11：第一光源
12：第二光源
13：第一蛍光レシーバー
131：第一光学フィルター
14：第二蛍光レシーバー
141：第二光学フィルター
15：ハンドル
2：拡大回路
3：マイクロプロセッシングユニット
31：フィルター回路
32：アナログデジタル転換回路
33：データベース
34：信号発射モジュール
4：第一出力ユニット
5：コントロールユニット
51：信号受信モジュール
6：第二出力ユニット
A：人体粘膜組織
【図１】
2012170744.tif 000003
【図２】
2012170744.tif 000004
【図３Ａ】
2012170744.tif 000005
【図３Ｂ】
2012170744.tif 000006
【図４Ａ】
2012170744.tif 000007
【図４Ｂ】
2012170744.tif 000008
【図５】
2012170744.tif 000009
【図６】
2012170744.tif 000010
【図７】
2012170744.tif 000011